(57)【要約】【課題】収納容器に収容される全ての収容物の鮮度を維持することができる鮮度保持装置を提供する。【解決手段】天井部１０４、側部１０５，１０５、底部１０６に沿って流れる空気の循環流が形成された収納容器１００に設けられ、収容物Ｃの鮮度を保持する鮮度保持装置１であって、収納容器１００における空気の循環流に沿って天井部１０４、側部１０５，１０５、底部１０６の少なくともいずれかに設けられる光触媒表層２と、該光触媒表層２に光を照射する光源３と、を備える。【選択図】図４
2019026377.tif 000002
【特許請求の範囲】
【請求項１】
天井部、側部、底部に沿って流れる空気の循環流が形成された収納容器に設けられ、収容物の鮮度を保持する鮮度保持装置であって、
前記収納容器における空気の循環流に沿って前記天井部、前記側部、前記底部の少なくともいずれかに設けられる光触媒表層と、該光触媒表層に光を照射する光源と、を備えることを特徴とする鮮度保持装置。
【請求項２】
前記光触媒表層は、前記収納容器の前記天井部、前記側部、前記底部の少なくともいずれかの長手方向に沿って設けられていることを特徴とする請求項１に記載の鮮度保持装置。
【請求項３】
前記光触媒表層は、前記収納容器の前記天井部および前記底部に設けられていることを特徴とする請求項１または２に記載の鮮度保持装置。
【請求項４】
前記光触媒表層は、繊維集合体の基材にコーティングされて形成されていることを特徴とする請求項１ないし３のいずれかに記載の鮮度保持装置。
【請求項５】
前記光源は、前記収納容器の前記天井部と前記側部により形成される角の近傍に設けられていることを特徴とする請求項１ないし４のいずれかに記載の鮮度保持装置。
【請求項６】
前記底部は、長手方向に延びる複数のレールを有し、該複数のレール間に前記光触媒表層および前記光源が設けられることを特徴とする請求項１ないし５のいずれかに記載の鮮度保持装置。
【請求項７】
前記複数のレール間に設けられる前記光触媒表層は、前記光源とユニット化されていることを特徴とする請求項６に記載の鮮度保持装置。
【発明の詳細な説明】
【技術分野】
【０００１】
本発明は、青果物、花卉類、その他の生鮮食品等の収容物を貯蔵または輸送するための収納容器において収容物の鮮度を保持するために設けられる鮮度保持装置に関する。
【背景技術】
【０００２】
従来、青果物、花卉類、その他の生鮮食品等の収容物を貯蔵または輸送するための収納容器においては、冷凍機ユニット等の循環装置を用いて温度や湿度等を調整しながら内部の空気を循環させることが行われているが、青果物から発生するエチレンガスにより青果物や花卉類の成熟・成長が促進され、収容物の鮮度を低下させてしまう虞がある。
【０００３】
そこで、特許文献１のように、コンテナ（収納容器）の底部前方側に設けられる吹出口から吹き出される空気を空気取入口から筐体内に取入れ、筐体内に設けられるエチレンガス除去部を通過させることにより、空気に含まれるエチレンガスの吸着または分解を行えるようにした鮮度保持装置が開示されており、これによれば、コンテナの内部における空気の循環流を利用してコンテナ内のエチレンガスを吸着または分解してエチレンガス濃度を低減できるようになっている。
【先行技術文献】
【特許文献】
【０００４】
【特許文献１】特開２０１６−９００８８号公報（第１２頁、第２図）
【発明の概要】
【発明が解決しようとする課題】
【０００５】
しかしながら、特許文献１にあっては、コンテナの底部前方に設けられる吹出口の正面に鮮度保持装置の筐体が設けられているため、コンテナの内部における設計上の空気の循環流が阻害されてコンテナ内の空気の循環が不均一になることで収容物周辺に滞留したエチレンガスにさらされた一部の収容物の鮮度が低下するという問題があった。
【０００６】
本発明は、このような問題点に着目してなされたもので、収納容器に収容される全ての収容物の鮮度を維持することができる鮮度保持装置を提供することを目的とする。
【課題を解決するための手段】
【０００７】
前記課題を解決するために、本発明の鮮度保持装置は、
天井部、側部、底部に沿って流れる空気の循環流が形成された収納容器に設けられ、収容物の鮮度を保持する鮮度保持装置であって、
前記収納容器における空気の循環流に沿って前記天井部、前記側部、前記底部の少なくともいずれかに設けられる光触媒表層と、該光触媒表層に光を照射する光源と、を備えることを特徴としている。
この特徴によれば、光触媒表層は光源から照射される光によって励起され、収容物から発生するエチレンガスを吸着または分解することができるものであり、この光触媒表層が収納容器の内部における空気の循環流に沿って設けられていることから、収納容器の内部を空気と共に循環するエチレンガスを満遍なく吸着または分解することができるため、収納容器の内部におけるエチレンガス濃度を満遍なく低減させて収納容器に収容される全ての収容物の鮮度を維持することができる。
【０００８】
前記光触媒表層は、前記収納容器の前記天井部、前記側部、前記底部の少なくともいずれかの長手方向に沿って設けられていることを特徴としている。
この特徴によれば、空気の循環流は収納容器の長手方向に沿って流れるため、収納容器の長手方向に沿って光触媒表層が設けられることにより、空気の循環流を利用して収納容器の内部の広範囲に亘ってエチレンガスを効率よく吸着または分解することができる。
【０００９】
前記光触媒表層は、前記収納容器の前記天井部および前記底部に設けられていることを特徴としている。
この特徴によれば、収納容器において、空気の循環流が安定して形成される天井部および底部に光触媒表層が設けられることにより、空気の循環流を利用して収納容器の内部のエチレンガスを確実に吸着または分解することができる。
【００１０】
前記光触媒表層は、繊維集合体の基材にコーティングされて形成されていることを特徴としている。
この特徴によれば、繊維集合体を基材とすることにより、コーティングされる光触媒表層の表面積を大きくすることができるため、励起された光触媒表層にエチレンガスを吸着させやすくなり、光触媒表層によるエチレンガスの分解能力を高めながら、繊維集合体が通気性を有するため、収納容器の内部における空気の循環流を好適に保つことができる。
【００１１】
前記光源は、前記収納容器の前記天井部と前記側部により形成される角の近傍に設けられていることを特徴としている。
この特徴によれば、光源が収納容器の天井部と側部により形成される角の近傍に設けられることにより、光源が収納容器の内部における空気の循環流の邪魔になることなく、かつ収納容器に対する収容物の出し入れの邪魔になることなく光触媒表層に光を照射することができる。
【００１２】
前記底部は、長手方向に延びる複数のレールを有し、該複数のレール間に前記光触媒表層および前記光源が設けられることを特徴としている。
この特徴によれば、収納容器の底部において長手方向に延びる複数のレール間に光触媒表層および光源が設けられることにより、レール上に載置される収容物から光触媒表層および光源を保護することができるとともに、収納容器の底部における空気の循環が収容物の配置に影響を受けず、レール間に設けられる光触媒表層によりエチレンガスを確実に吸着または分解することができる。
【００１３】
前記複数のレール間に設けられる前記光触媒表層は、前記光源とユニット化されていることを特徴としている。
この特徴によれば、複数のレール間に設けられる光触媒表層が光源とユニット化されることにより、レール間に対する光触媒表層と光源の設置・撤去を容易に行うことができるため、施工性およびメンテナンス性を高めることができる。
【図面の簡単な説明】
【００１４】
【図１】実施例１における鮮度保持装置が設けられるコンテナを示す斜視図である。
【図２】実施例１における鮮度保持装置の設置位置を示す一部断面斜視図である。
【図３】実施例１における光触媒表層によりコーティングされた不織布の構造を示す拡大図である。
【図４】実施例１における鮮度保持装置の設置位置を示す正面図である。
【図５】実施例１におけるコンテナの収容空間における空気の循環流を示す側面視の断面図である。
【図６】実施例１におけるコンテナの収容空間における空気の循環流を示す一部断面斜視図である。
【図７】実施例２におけるコンテナの収容空間を開口側から見た状態を示す正面図である。
【図８】実施例２におけるコンテナの構造を示す側面視の断面図である。
【図９】実施例２におけるダクト空間への鮮度保持装置の設置例を示す斜視図である。
【発明を実施するための形態】
【００１５】
本発明に係る鮮度保持装置を実施するための形態を実施例に基づいて以下に説明する。
【実施例１】
【００１６】
実施例１に係る鮮度保持装置につき、図１から図６を参照して説明する。以下、図１の紙面左下側を鮮度保持装置が設けられるコンテナの正面側（前方側）とし、その前方側から見たときの上下左右方向を基準として説明する。
【００１７】
鮮度保持装置は、例えば青果物、花卉類、その他の生鮮食品等の収容物Ｃを貯蔵または輸送するためのコンテナ１００（収納容器）に設けられる。尚、本実施例においては、収納容器としてユニットクーラ１１０（図２参照）が取付けられるコンテナ１００を例に挙げて説明するが、鮮度保持装置が適用される収納容器は、エンドウォール型の冷凍コンテナや冷凍機ユニットを備える倉庫であってもよい。
【００１８】
先ず、鮮度保持装置が設けられるコンテナ１００について説明する。図１および図５に示されるように、コンテナ１００は、前後方向に長尺を成す直方体に形成され、全面がアルミ合金製またはステンレス製の外板と内板との間に硬質ウレタン等の断熱材が充填されることにより構成されている。また、コンテナ１００は、前面に開放する開口部１０１を備えており、該開口部１０１は扉１０２，１０２により開閉可能となっている。
【００１９】
図４および図５に示されるように、前面の扉１０２，１０２、扉１０２，１０２と対向する後面の対向端部１０３、上方の天井部１０４、左右の側部１０５，１０５、下方の底部１０６によりコンテナ１００の内部に略直方体の収容空間Ｓが形成されている。
【００２０】
また、コンテナ１００の底部１０６は、底面材１０６ａ（内板）と、該底面材１０６ａの上面に設けられ前後方向（長手方向）に延び左右方向に離間して平行に配置されるアルミ合金製の複数のレール１２０，１２０，…とから構成されている。レール１２０は、下端を底面材１０６ａに対して固定され上下方向に延びる基部１２０ａと、該基部１２０ａの上端部から左右方向に延出する板状部１２０ｂとから構成され、断面Ｔ字状を成している。尚、複数のレール１２０，１２０，…の板状部１２０ｂ，１２０ｂ，…の上面は、コンテナ１００の収容空間Ｓにおける収容物Ｃの載置面を構成している。
【００２１】
また、レール１２０の板状部１２０ｂの下方側には、コンテナ１００の底部１０６の底面材１０６ａと隣接するレール１２０とにより区画されて前後方向に延びる正面視矩形のダクト空間Ｄが形成されている。尚、レール１２０の基部１２０ａには、左右方向に貫通する貫通孔１２０ｃ（図５参照）が前後方向に所定間隔置きに形成されており、レール１２０の基部１２０ａを挟んで左右のダクト空間Ｄ同士が連通している。
【００２２】
次に、コンテナ１００に設けられる鮮度保持装置１について詳しく説明する。図１および図２に示されるように、鮮度保持装置１は、コンテナ１００の天井部１０４および側部１０５，１０５の前後方向に沿って貼り付けられる不織布２０（繊維集合体）の表面に形成される光触媒表層２と、コンテナ１００の天井部１０４と側部１０５により収容空間Ｓの上方側に形成される角の近傍に設けられる複数の光源３，３，…とから構成されている。
【００２３】
図３に示されるように、光触媒表層２は、不織布２０を基材とし、その繊維の表面にコーティングされたティオスカイコート（商標登録）の層として形成されている。また、図２および図４に示されるように、表面に光触媒表層２が形成された不織布２０は、コンテナ１００の収容空間Ｓを構成する天井部１０４の天面材１０４ａ（内板）から側部１０５の側面材１０５ａ（内板）にかけて正面視Ｌ字状に貼り付けられることにより、コンテナ１００の天井部１０４と側部１０５により収容空間Ｓの上方側に形成される角を含む所定の範囲に設けられている。尚、光触媒表層２が表面に形成された不織布２０は、天井部１０４の左右方向全幅に亘って設けられていてもよい。また、光触媒表層の基材は、繊維状のものに限らず、フィルムや板状のものであってもよい。
【００２４】
不織布２０の表面に形成された光触媒表層２は、酸化チタンを主成分とし、表面に紫外線ＵＶ（光）が照射されることにより励起され、該励起部分に収容物Ｃ（特に青果物）から発生するエチレンガスが吸着されることにより水と二酸化炭素に分解することができる。尚、光触媒表層２は、エチレンガスの他にも有機物や菌、ウィルス等を分解可能であり、コンテナ１００の収容空間Ｓにおける高い消臭性、抗菌性を確保することもできる。
【００２５】
図２および図４に示されるように、光源３は、紫外線ＵＶを放射する蛍光管（いわゆるブラックライト）であり、コンテナ１００の天井部１０４と側部１０５により収容空間Ｓの上方側に形成される角の近傍において側部１０５の上方側から収容空間Ｓ側に延びる一対のブラケット３１，３１により両端を支持されており、複数の光源３，３，…が前後方向に所定間隔置きに設けられている。また、光源３の角から離れる方向の斜め下方側には、コンテナ１００の天井部１０４および側部１０５に対向するように配置され、図示しないブラケットにより支持される反射板３０が設けられている。尚、光源３は、ユニットクーラ１１０用の電源とは異なる電源（図示省略）から電力が供給されている。さらに尚、光源は、紫外線を照射可能なものであればＬＥＤ光源、ＬＤ光源、ＯＬＥＤ光源等であってもよく、その形状は管状に限らず、ライン状、シール状、テープ状等であってもよい。また、光源３の波長は紫外線に限られず光触媒表層２の反応波長に合わせればよい。
【００２６】
図４の矢印に示されるように、コンテナ１００の収容空間Ｓにおいて、反射板３０により光源３から照射される紫外線ＵＶが反射されることにより、表面に光触媒表層２が形成された不織布２０が設けられるコンテナ１００の天井部１０４と側部１０５により収容空間Ｓの上方側に形成される角を含む所定の範囲が光源３による紫外線ＵＶの照射範囲となるように設定されている。尚、光源３による紫外線ＵＶの照明範囲は、例えば反射板３０による紫外線ＵＶの反射角度を調整することにより上述した不織布２０が設けられる所定の範囲よりも広範囲に設定されてもよい。さらに尚、コンテナ１００における光源３の数や設置位置は適宜調整されてよいが、光源３による紫外線ＵＶの照射範囲が後述する空気の循環流に沿って設けられる光触媒表層２を少なくとも一部含むように設定されることが好ましく、例えば天井部１０４に設けられていてもよい。
【００２７】
次に、コンテナ１００の収容空間Ｓにおける空気の循環流について詳しく説明する。尚、本実施例における空気の循環流とは、ユニットクーラ１１０の運転によりコンテナ１００の収容空間Ｓを循環する空気（冷気）の流れのことである。
【００２８】
図５に示されるように、コンテナ１００の天井部１０４には、後方側に天吊型のユニットクーラ１１０が取付けられている。ユニットクーラ１１０は、蒸発器１１２と、該蒸発器１１２の前方側に配置される送風ファン１１３と、蒸発器１１２および送風ファン１１３を収容する筐体１１４とから主に構成されている。蒸発器１１２は、コンテナ１００の対向端部１０３に挿通される冷媒配管１１１により室外機ユニット（図示省略）と接続され、冷凍サイクルを構成している。
【００２９】
図５および図６において矢印で示すように、コンテナ１００の収容空間Ｓの空気は、送風ファン１１３の運転によりユニットクーラ１１０を構成する筐体１１４の後方側に形成される吸込口１１４ｂから吸い込まれ、蒸発器１１２を通過する際に熱交換が行われることにより冷却された後、筐体１１４の前方側に形成される吹出口１１４ａから吹き出される。
【００３０】
ユニットクーラ１１０から前方側に吹き出された空気は、コンテナ１００の天井部１０４に沿って収容物Ｃの上方を移動した後、前方側において閉状態の扉１０２，１０２に沿って下方側に移動し、底部１０６に設けられるレール１２０の前端側から前述したダクト空間Ｄの内部に吸い込まれ、底部１０６に沿って後方側に移動する。
【００３１】
底部１０６に沿ってダクト空間Ｄを後方側に移動した空気は、レール１２０の後端側から吹き出され、対向端部１０３に沿って上方側に移動し、ユニットクーラ１１０の後方側の吸込口１１４ｂから再び吸い込まれることにより、収容空間Ｓの長手方向に沿って略区形状の流れを形成するメインの空気の循環流が形成される。
【００３２】
また、コンテナ１００の底部１０６に沿ってダクト空間Ｄを移動する空気の一部は、レール１２０の基部１２０ａに形成される貫通孔１２０ｃを通って左右方向に移動する。
【００３３】
また、収容物Ｃの周囲における下方側の空気は、前後左右に配置される収容物Ｃの間を通って下方側に移動し、隣接するレール１２０の板状部１２０ｂ間に形成され前後方向に延びる隙間Ｇ（図４参照）から吸い込まれ、コンテナ１００の底部１０６に沿ってダクト空間Ｄを移動する空気の流れに合流し、収容物Ｃの周囲における上方側の空気は、前後左右に配置される収容物Ｃの間を通って上方側に移動し、上述したコンテナ１００の天井部１０４に沿って収容物Ｃの上方を移動する空気の循環流に合流する。
【００３４】
さらに、図６に示されるように、ユニットクーラ１１０から前方側に吹き出された空気の一部は、側部１０５に沿って収容物Ｃの側方を循環し、その一部が扉１０２，１０２（説明の都合上、図示を省略する）に沿って収容物Ｃの前面側に回り込み、前述した天井部１０４に沿って収容物Ｃの上方から扉１０２，１０２に沿って下方側に移動する空気の循環流に合流する。尚、図示しないが、側部１０５に沿って収容物Ｃの側方を循環する空気の一部は、前後に配置される収容物Ｃの間に移動し、上述した収容物Ｃの周囲における空気の流れと共に上方側または下方側に移動することにより、コンテナ１００の底部１０６に沿ってダクト空間Ｄを移動する空気の流れまたは天井部１０４に沿って収容物Ｃの上方を移動する空気の循環流に合流する。
【００３５】
このように、コンテナ１００の収容空間Ｓの長手方向に沿って形成される空気の循環流により、収容物Ｃの周辺の空気が満遍なく循環されている。尚、コンテナ１００には、図示しない換気口が設けられており、収容空間Ｓの空気を適宜給排気できるようになっている。
【００３６】
これによれば、上述したように、コンテナ１００の収容空間Ｓにおける空気の循環流に沿って天井部１０４および側部１０５，１０５に鮮度保持装置１を構成する不織布２０が貼り付けられ、該不織布２０の表面に形成される光触媒表層２に紫外線ＵＶを照射する光源３が設けられることにより、光触媒表層２は光源３から照射される紫外線ＵＶによって励起され、収容物Ｃから発生するエチレンガスを吸着または分解することができ、この光触媒表層２が収容空間Ｓにおける空気の循環流に沿って設けられていることから、収容空間Ｓを空気と共に循環するエチレンガスを満遍なく吸着または分解することができるため、収容空間Ｓにおけるエチレンガス濃度を満遍なく低減させて収容空間Ｓに収容される全ての収容物の鮮度を維持することができる。
【００３７】
また、空気の循環流は収容空間Ｓの長手方向に沿って流れるため、光触媒表層２が表面に形成された不織布２０がコンテナ１００の天井部１０４および側部１０５，１０５の長手方向に沿って設けられることにより、空気の循環流を利用して収容空間Ｓの広範囲に亘ってエチレンガスを効率よく吸着または分解することができる。
【００３８】
また、光触媒表層２は、繊維集合体である不織布２０を基材とすることにより、コーティングされる光触媒表層２の表面積を大きくすることができるため、光源３から照射される紫外線ＵＶによって励起された光触媒表層２にエチレンガスを吸着させやすくなり、光触媒表層２によるエチレンガスの分解能力を高めながら、不織布２０が通気性を有するため、収容空間Ｓにおける空気の循環流を好適に保つことができる。さらに、平板状の基材にコーティングされるものと比べて表面積を大きくすることができるのみならず、光触媒表層２の剥がれを抑えることができ、光触媒表層２の分解能力が長期間維持されやすい。
【００３９】
また、光触媒表層２が表面に形成された不織布２０は、コンテナ１００の天井部１０４と側部１０５により収容空間Ｓの上方側に形成される角を含む所定の範囲に設けられることにより、コンテナ１００の収容空間Ｓに収容される収容物Ｃの配置や数量に係らず、光源３による紫外線ＵＶの照射を受けやすく、かつ収容空間Ｓにおいて空気の循環流が安定して形成される位置でエチレンガスの吸着および分解を行うことができるため、光触媒表層２により収容空間Ｓを空気と共に循環するエチレンガスを確実に吸着または分解することができる。
【００４０】
また、光源３は、コンテナ１００の天井部１０４と側部１０５により収容空間Ｓの上方側に形成される角の近傍に設けられることにより、収容空間Ｓにおける空気の循環流の邪魔になることなく、かつコンテナ１００に対する収容物Ｃの出し入れの邪魔になることなく不織布２０の表面に形成される光触媒表層２に光を照射することができる。さらに、鮮度保持装置１を構成する光触媒表層２が表面に形成された不織布２０および光源３は、コンテナ１００の天井部１０４と側部１０５により収容空間Ｓの上方側に形成される角の近傍に設けられることにより、収容物Ｃの接触による破損を防ぐことができるとともに、収容空間Ｓにおける設計上の収容物Ｃの載置面および積荷上限を変更することなく収容物Ｃを収容することができる。
【００４１】
また、本発明の鮮度保持装置１は、コンテナ１００の収容空間Ｓにおける設計上の空気の循環流を利用して、光源３から紫外線ＵＶを照射される光触媒表層２によりエチレンガスを分解するものであるため、コンテナ１００に取付けられるユニットクーラ１１０等の冷凍機ユニットの循環装置の送風性能を高める等の変更の必要がない。さらに、コンテナ１００の収容空間Ｓからエチレンガスを排気するための空気の給排気を行う必要がないため、収容空間Ｓにおける温度変化を抑えることができ、収容空間Ｓに収容される収容物Ｃの鮮度を維持しやすい。
【実施例２】
【００４２】
次に、実施例２に係る鮮度保持装置につき、図７から図９を参照して説明する。尚、前記実施例に示される構成部分と同一構成部分については同一符号を付して重複する説明を省略する。
【００４３】
図７および図８に示されるように、実施例２におけるコンテナ２００（収納容器）においては、コンテナ２００の底部１０６の底面材１０６ａに設けられる複数のレール１２０，１２０，…の前後両端部に左右方向に延びる通気カバー２３０がそれぞれ取付けられている。通気カバー２３０は、樹脂製または金属製で網状に形成され、通気性が確保されている。
【００４４】
図８および図９に示されるように、ダクト空間Ｄには、前後方向に亘って延びる鮮度保持装置２０１が設けられている。鮮度保持装置２０１は、ダクト空間Ｄに挿入されるホルダ２０４と、該ホルダ２０４の左側内面に取付けられる綿体２２０（繊維集合体）の表面に形成される光触媒表層２０２と、該光触媒表層２０２と対向してホルダ２０４の右側内面に取付けられる光源２０３とから構成されることにより、ユニット化されている。尚、綿体２２０は、金属繊維、樹脂繊維、植物繊維等を綿状にし、通気性を有するものが好ましい。
【００４５】
図８および図９に示されるように、ホルダ２０４は、樹脂製または金属製で上方側に開放する断面略Ｃ字状に形成されており、ホルダ２０４の内部が隣接するレール１２０の板状部１２０ｂ間に形成される隙間Ｇと連通している。尚、図９においては、一のホルダ２０４を一部引き出した状態を図示している。
【００４６】
光触媒表層２０２は、ホルダ２０４の長手方向に亘って延びるアルミ合金製またはステンレス製の綿体２２０を基材とし、その繊維の表面にコーティングされたティオスカイコート（商標登録）の層として形成されている。尚、図示しないが光触媒表層２０２によりコーティングされた綿体２２０の構造は、図３に示される光触媒表層２によりコーティングされた不織布２０の構造と略同一である。
【００４７】
光源２０３は、ホルダ２０４の長手方向に亘って延び紫外線ＵＶを放射するＬＥＤシールであり、光源２０３による紫外線ＵＶの照射範囲は、少なくともホルダ２０４に収容され光触媒表層２０２が形成される綿体２２０の長手方向に亘っており、ホルダ２０４の内部、言い換えればダクト空間Ｄ内に設定されている。
【００４８】
これによれば、コンテナ２００の底部１０６に形成されるダクト空間Ｄにホルダ２０４によりユニット化された光触媒表層２０２が表面に形成される綿体２２０および光源２０３が設けられることにより、レール１２０の板状部１２０ｂの上面に載置される収容物Ｃから光触媒表層２０２が表面に形成される綿体２２０および光源２０３を保護して破損を防ぐことができるとともに、コンテナ２００の底部１０６における空気の循環が収容物Ｃの配置に影響を受けず、光触媒表層２０２によりエチレンガスを確実に吸着または分解することができる。
【００４９】
また、図８に示されるように、収容物Ｃの周囲における下方側の空気は、前後左右に配置される収容物Ｃの間を通って下方側に移動し、隣接するレール１２０の板状部１２０ｂ間に形成され前後方向に延びる隙間Ｇ（図９参照）から吸い込まれ、ダクト空間Ｄ（ホルダ２０４の内部）に沿って移動する空気の流れに合流する。
【００５０】
このように、コンテナ２００の天井部１０４および側部１０５，１０５に設けられる鮮度保持装置１（光触媒表層２が表面に形成された不織布２０および光源３）により、天井部１０４および側部１０５，１０５に沿って移動する空気の循環流に対してエチレンガスの吸着または分解を行うとともに、コンテナ２００の底部１０６に形成されるダクト空間Ｄに設けられる鮮度保持装置２０１（光触媒表層２０２が表面に形成される綿体２２０、光源２０３およびホルダ２０４）により、ダクト空間Ｄ（ホルダ２０４の内部）に沿って移動する空気の循環流に対してエチレンガスの吸着または分解を行うことができるため、収容空間Ｓにおける空気の循環流を利用してエチレンガスをより効率よく吸着または分解し、エチレンガス濃度を低減することができる。
【００５１】
また、光触媒表層２０２は、繊維集合体である綿体２２０を基材とすることにより、コーティングされる光触媒表層２０２の表面積を大きくすることができ、光源２０３から照射される紫外線ＵＶによって励起された光触媒表層２０２にエチレンガスを吸着させやすくなり、光触媒表層２０２によるエチレンガスの分解能力を高めながら、綿体２２０が通気性を有するため、ダクト空間Ｄ（ホルダ２０４の内部）を流れる空気の循環流に対して抵抗になり難く、収容空間Ｓにおける空気の循環流を好適に保つことができる。
【００５２】
また、図９に示されるように、ダクト空間Ｄに設けられる鮮度保持装置２０１は、ホルダ２０４により光触媒表層２０２が表面に形成される綿体２２０と光源２０３とがユニット化されることにより、図９の白矢印に示すようにホルダ２０４を移動させてダクト空間Ｄに対する鮮度保持装置２０１の設置・撤去を容易に行うことができるため、施工性およびメンテナンス性を高めることができる。尚、鮮度保持装置２０１は、前後方向に複数に分割されるものであってもよい。
【００５３】
また、複数のレール１２０，１２０，…の前後両端部に通気カバー２３０が取付けられることにより、通気カバー２３０を通してダクト空間Ｄ（ホルダ２０４の内部）を流れる空気の循環流を好適に保ちながら、レール１２０の前後両端部からの鮮度保持装置２０１の抜出しを防ぐことができる。
【００５４】
以上、本発明の実施例を図面により説明してきたが、具体的な構成はこれら実施例に限られるものではなく、本発明の要旨を逸脱しない範囲における変更や追加があっても本発明に含まれる。
【００５５】
例えば、前記実施例では、鮮度保持装置１，２０１が設けられるコンテナ１００，２００は、ユニットクーラ１１０から天井部１０４に沿って空気が吹き出されることにより、収容空間Ｓの長手方向に沿って空気を循環させる循環方式（いわゆるトップフロー方式）について説明したが、これに限らず、コンテナ１００，２００の収容空間Ｓにおける空気の循環方式は、収容空間Ｓの空気をムラなく循環させることができるものであれば自由に構成されてよく、例えばコンテナ１００，２００の対向端部１０３の下端部に吹出口を設けて底部１０６に沿って空気が吹き出されることにより、収容空間Ｓの長手方向に沿って空気を循環させるボトムフロー方式としてもよい。さらに、クールテック・コンテナのように収容空間Ｓの短手方向に沿って空気を循環させるものであってもよい。
【００５６】
また、前記実施例１では、コンテナ１００の天井部１０４、側部１０５，１０５に対して鮮度保持装置１（光触媒表層２が表面に形成された不織布２０および光源３）が設けられ、前記実施例２では、コンテナ２００の天井部１０４、側部１０５，１０５に対して鮮度保持装置１（光触媒表層２が表面に形成された不織布２０および光源３）が設けられ、底部１０６（ダクト空間Ｄ）に対して鮮度保持装置２０１（光触媒表層２０２が表面に形成される綿体２２０、光源２０３およびホルダ２０４）が設けられる態様について説明したが、鮮度保持装置は、コンテナの収容空間における空気の循環に沿って扉、対向端部、天井部、側部、底部の内いずれか１面に設けられるものであればよい。尚、鮮度保持装置が設けられる収納容器としては、底部に長手方向に延びる複数のレールを有さないコンテナや倉庫等であってもよい。
【００５７】
また、光触媒表層２は、コンテナ１００，２００の天井部１０４の天面材１０４ａまたは側部１０５，１０５の側面材１０５ａ，１０５ａを基材としてもよい。さらに、光触媒表層２０２は、コンテナ２００の底部１０６の底面材１０６ａまたはレール１２０の基部１２０ａおよび板状部１２０ｂの下面側を基材としてもよい。
【００５８】
また、鮮度保持装置２０１は、ホルダ２０４を備えず、光触媒表層２０２が表面に形成される綿体２２０により光源２０３の周囲を覆うことにより一体にユニット化されてもよい。
【００５９】
また、コンテナの収容空間には、青果物、花卉類、その他の生鮮食品等に限らず、光触媒表層による高い消臭性、抗菌性を利用して例えば医薬品、衣類、雑貨等が収容物として収容されてもよい。
【符号の説明】
【００６０】
１，２０１        鮮度保持装置
２，２０２        光触媒表層
３，２０３        光源
２０              不織布（繊維集合体）
３０              反射板
１００，２００    コンテナ（収納容器）
１０１            開口部
１０２            扉
１０３            対向端部
１０４            天井部
１０４ａ          天面材
１０５            側部
１０５ａ          側面材
１０６            底部
１０６ａ          底面材
１１０            ユニットクーラ
１２０            レール
１２０ａ          基部
１２０ｂ          板状部
１２０ｃ          貫通孔
２０４            ホルダ
２２０            綿体（繊維集合体）
２３０            通気カバー
Ｃ                収容物
Ｄ                ダクト空間
Ｇ                隙間
Ｓ                収容空間
ＵＶ              紫外線
【図１】
2019026377.tif 000003
【図２】
2019026377.tif 000004
【図３】
2019026377.tif 000005
【図４】
2019026377.tif 000006
【図５】
2019026377.tif 000007
【図６】
2019026377.tif 000008
【図７】
2019026377.tif 000009
【図８】
2019026377.tif 000010
【図９】
2019026377.tif 000011